(57)【要約】【課題】本発明は加湿装置に関するもので、加湿装置のタンクへの給水性の向上ができるものである。【解決手段】そしてこの目的を達成するために本発明は、吸気口と排気口とを有する本体ケースと、この本体ケース内に加湿手段を備え、この加湿手段は一定量の水が入った水槽と、この水槽に一定量の水を供給するタンクと、水槽の水に一部が浸漬された加湿フィルターとから形成され、吸気口から加湿フィルターを介し排気口へ空気を送風する送風手段を設け、タンクは縦長箱形状で天面には第１の取っ手を設け、底面には第１の開口部を備え、この第１の開口部に着脱可能な第１開口の蓋を設け、この第１の蓋の中央部に第２の開口部を備え、この第２の開口部に開閉手段を設け、タンクの側面には第３の開口部を備え、この第３の開口部には着脱可能な第３開口の蓋を設けたものである。【選択図】図３
2011099625.tif 000002
【特許請求の範囲】
【請求項１】
吸気口と排気口とを有する本体ケースと、この本体ケース内に加湿手段を備え、この加湿手段は一定量の水が入った水槽と、この水槽に一定量の水を供給するタンクと、前記水槽の水に一部が浸漬された加湿フィルターとから形成され、前記吸気口から前記加湿フィルターを介し前記排気口へ空気を送風する送風手段を設け、前記タンクは縦長箱形状で天面には第１の取っ手を設け、底面には第１の開口部を備え、この第１の開口部に着脱可能な第１開口の蓋を設け、この第１の蓋の中央部に第２の開口部を備え、この第２の開口部に開閉手段を設け、前記タンクの側面には第３の開口部を備え、この第３の開口部には着脱可能な第３開口の蓋を設けた加湿装置。
【請求項２】
タンクを前記水槽に装着した状態で、前記水槽の側面の高さより低い位置に前記タンクの前記第３の開口部を設けた請求項１記載の加湿装置。
【請求項３】
タンクの前記第３の開口部は前記第１の開口部より小さい請求項１または２に記載の加湿装置。
【請求項４】
タンクの前記第１の開口部は人の手が入る程度の大きさである請求項１〜３のいずれかに記載の加湿装置。
【請求項５】
タンクの前記第３の開口部を備えた側面上部に第２の取っ手を設けた請求項１〜４のいずれかに記載の加湿装置。
【請求項６】
タンクの天面に天面平面部を設けた請求項１〜５のいずれかに記載の加湿装置。
【請求項７】
タンクの前記第３の開口部を備えた側面に対向した面に側面平面部を設けた請求項１〜６のいずれかに記載の加湿装置。
【請求項８】
タンクの側面に目盛りを設けた請求項１〜７のいずれかに記載の加湿装置。
【請求項９】
タンクの側面に設けた前記目盛りは、前記タンクの天面の前記天面平面部を０として、前記タンクの天面から底面方向に順次目盛りの値が大きくなる請求項７または８に記載の加湿装置。
【請求項１０】
タンクの側面に設けた前記目盛りは、前記タンクの側面の側面平面部を０として、前記タンクの側面平面部から前記第２の開口部を備えた側面方向に順次目盛りの値が大きくなる請求項８または９に記載の加湿装置。
【請求項１１】
タンクの側面に設けた前記目盛りは、前記タンクの外側に凸形状である請求項８〜１０のいずれかに記載の加湿装置。
【発明の詳細な説明】
【技術分野】
【０００１】
本発明は、給水した加湿フィルターに通風することにより、室内を加湿する加湿装置に関する。
【背景技術】
【０００２】
従来のこの種の加湿装置の構成は以下のようになっていた。
【０００３】
すなわち、吸気口と排気口とを有する本体ケースと、この本体ケース内に加湿手段を備え、この加湿手段は一定量の水が入った水槽と、この水槽に一定量の水を供給するタンクと、前記水槽の水に一部が浸漬された加湿フィルターとから形成され、前記吸気口から前記加湿フィルターを介し前記排気口へ空気を送風する送風手段を設け、前記タンクは縦長箱形状で天面には第１の取っ手を設け、底面には第１の開口部を備え、この第１の開口部に着脱可能な第１開口の蓋を設け、この第１の蓋の中央部に第２の開口部を備え、この第２の開口部に開閉手段を設ける構成となっていた。
【先行技術文献】
【特許文献】
【０００４】
【特許文献１】特開２００１−８２７７５号公報
【発明の概要】
【発明が解決しようとする課題】
【０００５】
上記従来例における課題は、加湿装置のタンクへの給水性が悪いということであった。
【０００６】
すなわち、従来の物においては、タンクへ水を補充する場合には、タンクの給水用の蓋を開け、水道の蛇口から給水するものである。そのタンクの給水用の蓋に弁が付いているので、タンクを加湿装置に装着することによりその弁が押されて開口し、水を加湿装置に供給するものである。そこで、タンク内の水が残らず供給できるように、蓋および弁はタンクの底面に設けられている。つまり、タンクの底面からタンク内の水を加湿装置に供給するので、タンクの高さが、家庭用の洗面所および台所の蛇口からシンクまでの高さより高い場合には、シンクにタンク立てて給水できないので、タンクを斜めに手で保持しながら給水していた。
【０００７】
そこで本発明は、加湿装置のタンクへの給水性の向上を目的とするものである。
【課題を解決するための手段】
【０００８】
そしてこの目的を達成するために本発明は、吸気口と排気口とを有する本体ケースと、この本体ケース内に加湿手段を備え、この加湿手段は一定量の水が入った水槽と、この水槽に一定量の水を供給するタンクと、前記水槽の水に一部が浸漬された加湿フィルターとから形成され、前記吸気口から前記加湿フィルターを介し前記排気口へ空気を送風する送風手段を設け、前記タンクは縦長箱形状で天面には第１の取っ手を設け、底面には第１の開口部を備え、この第１の開口部に着脱可能な第１開口の蓋を設け、この第１の蓋の中央部に第２の開口部を備え、この第２の開口部に開閉手段を設け、前記タンクの側面には第３の開口部を備え、この第３の開口部には着脱可能な第３開口の蓋を設け、これにより、初期の目的を達成するものである。
【発明の効果】
【０００９】
以上のように本発明は、吸気口と排気口とを有する本体ケースと、この本体ケース内に加湿手段を備え、この加湿手段は一定量の水が入った水槽と、この水槽に一定量の水を供給するタンクと、前記水槽の水に一部が浸漬された加湿フィルターとから形成され、前記吸気口から前記加湿フィルターを介し前記排気口へ空気を送風する送風手段を設け、前記タンクは縦長箱形状で天面には第１の取っ手を設け、底面には第１の開口部を備え、この第１の開口部に着脱可能な第１開口の蓋を設け、この第１の蓋の中央部に第２の開口部を備え、この第２の開口部に開閉手段を設け、前記タンクの側面には第３の開口部を備え、この第３の開口部には着脱可能な第３開口の蓋を設けたものであり、加湿装置のタンクへの給水性の向上ができるものである。
【００１０】
すなわち、タンクから加湿装置へ水を供給する供給口である第２の開口部をタンクの底面に設け、それとは別に、水道の蛇口からタンクへ水を補充するための第３の開口部をタンクの側面に設けたものである。
【００１１】
これにより、加湿装置のタンクへ給水する場合には、タンクから加湿装置へ水を供給する供給口である第２の開口部から給水することもできるが、タンクの高さが、家庭用の洗面所および台所の蛇口からシンクまでの高さより高い場合には、タンクの側面に設けた第３の開口部から給水することが可能となる。つまり、第３の開口部が上を向くようにシンクの上にタンクを倒し、第３開口の蓋を開けて蛇口から給水することができるものである。
【００１２】
これらの結果により、タンクの高さが家庭用の洗面所および台所の蛇口からシンクまでの高さより高い場合にも、タンクを手で斜めに保持せずに給水できるので、加湿装置のタンクへの給水性の向上ができるものである。
【図面の簡単な説明】
【００１３】
【図１】本発明の実施の形態１の加湿装置の概略斜視図
【図２】同加湿装置の概略断面を示す図
【図３】同加湿装置のタンクの概略斜視図
【発明を実施するための形態】
【００１４】
以下、本実施形態を添付図面を用いて説明する。
【００１５】
（実施の形態１）
図１〜３に示すように、本実施形態の加湿装置は、吸気口１と排気口２とを有する本体ケース３と、この本体ケース３内に加湿手段を備えている。この加湿手段は水槽４と、この水槽４に一定量の水を供給するタンク５と、水槽の水に一部が浸漬された加湿フィルター６とから形成され、送風手段７によって吸気口１から加湿フィルター６を介し排気口２へ空気が送風されるものである。
【００１６】
水槽４は、略椀形状、つまり上面が開口した略横長箱形状で本体ケース３の下部に着脱自在に装着されている。この水槽内に、略円筒形状の加湿フィルター６が中央部の回転軸を中心に回動自在に配設されている。この回転軸が水平方向に配設されているので、加湿フィルター６の一部である円周面の下部がタンクから供給された水槽４の水に浸漬する。そして、回動手段である電動機によって加湿フィルター６の一部が水に浸漬しながら回転するものである。
【００１７】
以上の構成において加湿動作について説明する。送風手段７によって吸気口１から室内の空気を本体ケース内に吸気し、加湿フィルター６へ送風する。そこで、加湿フィルター６は、回動手段である電動機によって加湿フィルター６の一部が水に浸漬しながら回転することのより加湿フィルター６全体に水槽の水を含水しているので、その含水した加湿フィルター６に室内の空気を通過させることにより、その空気に湿気を含ませ排気口２から室内に排気することで、室内を加湿するものである。
【００１８】
タンク５は縦長箱形状で天面には棒状で、断面形状が略楕円形状で内部に中空部を有する第１の取っ手８を設けている。この第１の取っ手８を持って本体からタンク５を容易に引き出すことができる。
【００１９】
また、底面には第１の開口部９を備えている。この第１の開口部９は円形状の孔とこの孔の周縁からタンクの外側方向に略円筒形状の第１のフランジ部が延びている。この第１のフランジ部の外周には、螺旋状の突起からなる第１のねじ部を備えている。また、この第１の開口部９に着脱可能な第１開口の蓋１０は、略円板状の蓋面部と、この蓋面部の外周端から蓋面部に対して垂直方向に略円筒形状の外周円筒部が延びている。この外周円筒部の内周には螺旋状の突起からなる第２のねじ部を備えている。この第１開口部の蓋１０の第２のねじ部と第１の開口部９の第１のねじ部とを摺動させることにより第１の開口部９に第１開口の蓋１０が着脱可能となっている。
【００２０】
また、この第１の蓋の蓋面部の中央部に第２の開口部１１を備えている。この第２の開口部１１は略円形状の孔である円形開口部と、この円形開口部の周縁から中心方向へ複数の桟が延び、中央の円板形状の連結部で連結している。この連結部の中央に円形の孔である貫通部を備えている。
【００２１】
また、この第２の開口部１１には開閉手段１２である弁機構を設けている。この弁機構は略円板形状の開閉弁部と、この開閉弁部の中央から開閉弁部に対して垂直な方向に円筒形状の軸部が延びている。この軸部を第１の蓋の第２の開口部１１の貫通部に上から挿入し、貫通部の下から突出した軸部にコイル状のばねを挿入し、このばねが軸部から抜けないように、軸部の先端に下端が塞がれた円筒形状のばね止め部を挿入固定することにより形成される。これにより、弁機構である開閉弁部は第１の蓋の第２の開口部にばねにより押し当てられ、この第１の蓋の第２の開口部は弁機構である開閉弁部によって開口が塞がれた状態となる。
【００２２】
この第２の開口部１１の開閉手段である弁機構の周囲には第２の開口部の円形開口部の周縁近傍から延びた略円筒形状の円周壁部を備えている。
【００２３】
以上のタンクの構成での水槽への水の供給動作について説明する。まず、水の入ったタンクを第１の取っ手８を持って本体に装着すると、水槽の底板内面に設けた円柱形状の突起部に弁機構であるばね止め部が当たり、このばね止め部がばねを縮めながら上方へ移動する。それに伴い、開閉弁部も上昇し、第１の蓋の第２の開口部１１から弁機構である開閉弁部が離れることにより、第１の蓋の第２の開口部１１からタンク内の水が水槽へ流れ込むものである。ここで、第２の開口部の開閉手段１２である弁機構の周囲の円周壁部の下端まで水槽に水が溜まると、弁機構の周囲の円周壁部の下端からタンク内に空気が入ることが無くなるので、タンク内の水が水槽に流れ込まない。つまり、水槽の水が減ると、弁機構の周囲の円周壁部の下端まで水位が増え、この円周壁部の下端で水位が一定に保たれる。
【００２４】
本実施形態における特徴は、タンク側面に設けた開口にある。具体的には、タンクの側面には第３の開口部１３を備え、この第３の開口部１３には着脱可能な第３開口部の蓋１４を設けている。この第３の開口部は円形状の孔とこの孔の周縁からタンクの外側方向に略円筒形状の第３のフランジ部が延びている。この第３のフランジ部の外周には、螺旋状の突起からなる第３のねじ部を備えている。また、この第３の開口部１３に着脱可能第３開口部の蓋１４は、略円板状の蓋面部と、この蓋面部の外周端から蓋面部に対して垂直方向に略円筒形状の外周円筒部が延びている。この外周円筒部の内周には螺旋状の突起からなる第４のねじ部を備えている。この第３開口部の蓋１４の第４のねじ部と第３の開口部１３の第３のねじ部とを摺動させることにより第３の開口部に第３開口の蓋が着脱可能となっている。
【００２５】
すなわち、タンクから加湿装置へ水を供給する供給口である第２の開口部１１をタンクの底面に設け、それとは別に、水道の蛇口からタンクへ水を補充するための第３の開口部１３をタンクの側面に設けたものである。
【００２６】
これにより、加湿装置のタンクへ給水する場合には、タンクから加湿装置へ水を供給する供給口である第２の開口部１１から給水することもできるが、タンクの高さが、家庭用の洗面所および台所の蛇口からシンクまでの高さより高い場合には、タンクの側面に設けた第３の開口部１３から給水することが可能となる。つまり、第３の開口部１３が上を向くようにシンクの上にタンクを倒し、第３開口部の蓋１４を開けて蛇口から給水することができるものである。
【００２７】
これらの結果により、タンクの高さが家庭用の洗面所および台所の蛇口からシンクまでの高さより高い場合にも、タンクを手で斜めに保持せずに給水できるので、加湿装置のタンクへの給水性の向上ができるものである。
【００２８】
また、タンクを水槽に装着した状態で、水槽の側面の高さより低い位置にタンクの第３の開口部１３を設けたものである。これにより、第３の開口部１３は第３開口部の蓋１４で開口を塞いでいるが、もし、完全に塞がれていなかった場合には、第３の開口部１３と第３開口部の蓋１４との隙間からタンク内の水が流れ出すが、第３の開口部１３が水没した状態、つまり、水面が第３の開口部１３より高くなると、第３の開口部１３と第３開口部の蓋１４との隙間からタンク内に空気が入らないので、水位はそれ以上、上昇することはない。結果として、タンクを水槽に装着した状態で、水槽の側面の高さより低い位置にタンクの第３の開口部１３があるので、第３の開口部１３は第３開口部の蓋１４で開口が完全に塞がれていなかった場合にも、第３の開口部１３と第３開口部の蓋１４との隙間からタンク内に流れ出した水が、水槽から溢れ出すことを防止できる。
【００２９】
また、タンクの第３の開口部１３は第１の開口部９より小さいので、水槽の側面を高さを低くできるので、水槽の体積を小さくすることができる。
【００３０】
また、タンクの第１の開口部９は人の手が入る程度の大きさであるので、第１の開口部９から手を入れタンク内を掃除することができると共に、タンクの第１の開口部９はタンクの底面に位置しているので、第１の開口部９から手を入れ、手を真っ直ぐにタンク内に伸ばしていけばタンクの天面まで届くので、タンク内のほぼ全域を掃除することができる。
【００３１】
また、タンクの第２の開口部１１を備えた側面上部に第２の取っ手１５を設けたので、加湿装置のタンクへ給水する場合には、タンクの高さが家庭用の洗面所および台所の蛇口からシンクまでの高さより高く、タンクの側面に設けた第３の開口部１３から給水する場合に、第３の開口部１３が上を向くようにシンクの上にタンクを倒し、第３開口部の蓋１４を開けて蛇口から給水するので、給水後にタンクを持ち上げる場合に、タンクの第２の開口部１１に備えた第２の取っ手１５を持って持ち上げることができるので、タンクの持ち運びが容易にできる。
【００３２】
タンクの天面に天面平面部を設けたものである。具体的には、天面には棒状で、断面形状が略楕円形状で内部に中空部を有する第１の取っ手８を設けており、この第１の取っ手８の天面に天面平面部を備え、この天面平面部が第１の取っ手８の両端からタンクの側面方向に広がっているものである。すなわち、タンクの天面にＨ形状の天面平面部を備えているので、この天面平面部を下にしてタンクを立てることができる。これにより、タンクを掃除後、第１の開口部９および第３の開口部１３を開口し、タンクを立てて乾かす場合にタンクと床との接触面積が小さくでき、第３の開口部１３からタンクの内部を通って第１の開口部９に繋がる上向きの風路ができるので、タンクの内部の乾燥が容易にできる。
【００３３】
また、タンクの第２の開口部１１を備えた側面に対向した面は前面が平面である側面平面部を設けたので、加湿装置のタンクへ給水する場合には、タンクの高さが家庭用の洗面所および台所の蛇口からシンクまでの高さより高く、タンクの側面に設けた第３の開口部１３から給水する場合に、第３の開口部１３が上を向くようにシンクの上にタンクを倒し、第３開口部の蓋１４を開けて蛇口から給水する場合に、タンクをシンクの上に置いて給水できるので、第３の開口部１３からの給水が容易にできる。
【００３４】
また、タンクの側面に目盛りを設けたので、タンク内の水の量が容易にわかる。
【００３５】
また、タンクの側面に設けた目盛り５ａは、タンクの天面の天面平面部を０として、タンクの天面から底面方向に順次目盛り５ａの値が大きくなるので、タンク底面の第１の開口部に蛇口から水を給水する場合に、タンク天面を下にしタンクに水を入れると、タンクの側面に設けた目盛り５ａによってタンク内の水の量を容易に確認することができる。
【００３６】
また、タンクの側面に設けた目盛り５ｂは、タンクの側面の側面平面部を０として、タンクの側面平面部から第２の開口部を備えた側面方向に順次目盛り５ｂの値が大きくなるので、タンク側面の第３の開口部に蛇口から水を給水する場合に、タンク側面の第３の開口部に対抗したタンク側面の側面平面部を下にしタンクに水を入れると、タンクの側面に設けた目盛り５ｂによってタンク内の水の量を容易に確認することができる。
【００３７】
タンクの側面に設けた目盛り５ａ、目盛り５ｂは、タンクの外側に凸形状である。ここで、タンクはブロー成形でつくられているので、チューブ状の予備成形品であるパリソンをぶら下げるように金型内にセットし，型を閉めた後，コンプレッサーから圧縮空気を吹き込んで金型の内面形状に沿って膨らませるため、タンクの外側に凸形状部分は他の部分に比べて厚みが薄くなる。すなわち、タンクの側面に設けた目盛り５ａ、目盛り５ｂ部分の厚みが薄くなり、タンク内の水位である水の影が見やすくなるものである。
【産業上の利用可能性】
【００３８】
以上のように本発明は、吸気口と排気口とを有する本体ケースと、この本体ケース内に加湿手段を備え、この加湿手段は一定量の水が入った水槽と、この水槽に一定量の水を供給するタンクと、前記水槽の水に一部が浸漬された加湿フィルターとから形成され、前記吸気口から前記加湿フィルターを介し前記排気口へ空気を送風する送風手段を設け、前記タンクは縦長箱形状で天面には第１の取っ手を設け、底面には第１の開口部を備え、この第１の開口部に着脱可能な第１開口の蓋を設け、この第１の蓋の中央部に第２の開口部を備え、この第２の開口部に開閉手段を設け、前記タンクの側面には第３の開口部を備え、この第３の開口部には着脱可能な第３開口の蓋を設けたものであり、加湿装置のタンクへの給水性の向上ができるものである。
【００３９】
すなわち、タンクから加湿装置へ水を供給する供給口である第２の開口部をタンクの底面に設け、それとは別に、水道の蛇口からタンクへ水を補充するための第３の開口部をタンクの側面に設けたものである。
【００４０】
これにより、加湿装置のタンクへ給水する場合には、タンクから加湿装置へ水を供給する供給口である第２の開口部から給水することもできるが、タンクの高さが、家庭用の洗面所および台所の蛇口からシンクまでの高さより高い場合には、タンクの側面に設けた第３の開口部から給水することが可能となる。つまり、第３の開口部が上を向くようにシンクの上にタンクを倒し、第３開口の蓋を開けて蛇口から給水することができるものである。
【００４１】
これらの結果により、タンクの高さが家庭用の洗面所および台所の蛇口からシンクまでの高さより高い場合にも、タンクを手で斜めに保持せずに給水できるので、加湿装置のタンクへの給水性の向上ができるものである。
【００４２】
従って、家庭用や事務所用などの、加湿装置として活用が期待されるものである。
【符号の説明】
【００４３】
１    吸気口
２    排気口
３    本体ケース
４    水槽
５    タンク
５ａ  目盛り
５ｂ  目盛り
６    加湿フィルター
７    送風手段
８    第１の取っ手
９    第１の開口部
１０  第１開口部の蓋
１１  第２の開口部
１２  開閉手段
１３  第３の開口部
１４  第３開口部の蓋
１５  第２の取っ手
【図１】
2011099625.tif 000003
【図２】
2011099625.tif 000004
【図３】
2011099625.tif 000005